(57)【要約】      （修正有）【課題】容易に山積みすることができ、限られた販売領域でも十分な販促効果が得られるペット用キャリーケースを提供する。【解決手段】ペット用キャリーケース１は、上部が開口した箱形状を有し、側壁部４及び底部２に囲まれた部屋部１１を備えた本体部３と、底部２から外側に向けて突出する足部と、底部２と重なる場所に設けられた足受け部３１を備え、底部２の上方に設けられて本体部３を利用者の手で吊持する持ち手部７とを有する。【選択図】図２
0003209424.tif 000002
【実用新案登録請求の範囲】
【請求項１】
上部が開口した箱形状を有し、側壁部及び底部に囲まれた部屋部を備えた本体部と、
前記底部から外側に向けて突出する足部と、
前記底部と重なる場所に設けられた足受け部を備え、前記底部の上方に設けられて前記本体部を利用者の手で吊持する持ち手部と
を有することを特徴とするペット用キャリーケース。
【請求項２】
前記足受け部は、前記本体部の上に積み重ねられる他の本体部に設けられて前記足部と同形状の他の足部を受けること
を特徴とする請求項１記載のペット用キャリーケース。
【請求項３】
前記足受け部は、前記底部の面内方向における前記他の本体部の移動を規制すること
を特徴とする請求項２記載のペット用キャリーケース。
【請求項４】
前記足受け部は、前記持ち手部の屈曲部に設けられていること
を特徴とする請求項１から３までのいずれか一項に記載のペット用キャリーケース。
【請求項５】
前記持ち手部は、前記利用者が把持する把持部を有し、
前記足受け部は、前記把持部の両側に設けられていること
を特徴とする請求項４記載のペット用キャリーケース。
【請求項６】
前記足部は、
前記足受け部の少なくとも一部に倣う形状を有し、載置場所に前記本体部を支持する支持部と、
前記支持部から前記底部の面内方向に広がって形成され、前記足受け部と当接する当接部と
を有することを特徴とする請求項４又は５に記載のペット用キャリーケース。
【請求項７】
前記支持部の一部は、前記屈曲部の屈曲面に倣う形状を有していること
を特徴とする請求項６記載のペット用キャリーケース。
【請求項８】
前記当接部は、前記屈曲部に当接すること
を特徴とする請求項６又は７に記載のペット用キャリーケース。
【請求項９】
前記本体部は、
前記側壁部に形成されて前記部屋部と外部空間とを連通する側壁連通口と、
前記側壁連通口を閉塞可能に前記側壁部に支持される側壁扉部と
を有することを特徴とする請求項１から８までのいずれか一項に記載のペット用キャリーケース。
【請求項１０】
前記部屋部上に設けられ前記開口を閉塞する屋根部をさらに有し、
前記屋根部は、
前記側壁部の上縁部の形状に倣う枠状を有する枠状部と、
前記部屋部と前記外部空間とを連通する上部連通口と、
前記上部連通口と並んで配置され、小物を収納する小物収納部と、
前記上部連通口及び前記小物収納部を閉塞可能に前記枠状部に支持される上側扉部と
を有することを特徴とする請求項９記載のペット用キャリーケース。
【請求項１１】
前記上側扉部は、
前記上部連通口を閉塞可能に前記枠状部に支持される上面扉と、
前記小物収納部を閉塞可能に前記枠状部に支持される小物収納扉と
を有することを特徴とする請求項１０に記載のペット用キャリーケース。
【請求項１２】
前記上面扉は、
平板部と、前記平板部に対して前記本体部側に向かって傾斜する傾斜部と
を有することを特徴とする請求項１１に記載のペット用キャリーケース。
【請求項１３】
前記上部連通口及び前記小物収納部を閉塞した状態の前記上側扉部の前記傾斜部上に前記持ち手部を載せた場合、前記平板部と前記足受け部とは面一に配置されること
を特徴とする請求項１２記載のペット用キャリーケース。
【考案の詳細な説明】
【技術分野】
【０００１】
本考案は、犬や猫などの愛玩動物を収容して運搬するペット用キャリーケースに関する。
【背景技術】
【０００２】
犬や猫などの愛玩動物（以下、「ペット」と称する）を収容して運搬するペット用キャリーケースが知られている（例えば、特許文献１から３）。
【先行技術文献】
【特許文献】
【０００３】
【特許文献１】実用新案登録第３０６８０８７号公報
【特許文献２】特開２０１２−１４７７５５号公報
【特許文献３】特許第４４３３３２２号公報
【考案の概要】
【考案が解決しようとする課題】
【０００４】
量販店などでペット用キャリーケースを販売する際、店内の限られた領域で大量のペット用キャリーケースを陳列するために、ペット用キャリーケースは山積みして販促される場合がある。ところで、ペット用キャリーケースは、ペットを運搬する機能の他に外観のデザイン性も重要視される。例えば、特許文献１及び２に開示されたペット用キャリーケースは、購入者や利用者に柔らかい印象を与えるために全体的に丸みのある形状を有している。このため、当該ペット用キャリーケースは必ずしも山積みには適していない。また、特許文献３に開示されたペット用キャリーケースは、底部にキャスターを有しているため、必ずしも山積みには適していない。
【０００５】
このように、従来のペット用キャリーケースは、販売時の陳列を必ずしも考慮して設計されていないため、例えば山積みするペット用キャリーケースの間に所定のスペーサを挟んで山積みする必要がある。このため、従来のペット用キャリーケースは、スペーサを製造するための製造コストが増加したり、スペーサとペット用キャリーケースとを交互に山積みしなければならずペット用キャリーケースの陳列作業が煩雑になったりするという問題を有している。
【０００６】
また、従来のペット用キャリーケースは、山積みに適していないため、山積みされずに所定の棚に陳列される場合、陳列数が限定されるため、大量のペット用キャリーケースを陳列できない。このため、従来のペット用キャリーケースは、十分な販促効果が得られないという問題を有している。
【０００７】
本考案の目的は、容易に山積みすることができ、限られた販売領域でも十分な販促効果が得られるペット用キャリーケースを提供することにある。
【課題を解決するための手段】
【０００８】
上記課題を解決するために、本考案の一態様によるペット用キャリーケースは、上部が開口した箱形状を有し、側壁部及び底部に囲まれた部屋部を備えた本体部と、前記底部から外側に向けて突出する足部と、前記底部と重なる場所に設けられた足受け部を備え、前記底部の上方に設けられて前記本体部を利用者の手で吊持する持ち手部とを有することを特徴とする。
【０００９】
前記足受け部は、前記本体部の上に積み重ねられる他の本体部に設けられて前記足部と同形状の他の足部を受けてもよい。
前記足受け部は、前記底部の面内方向における前記他の本体部の移動を規制してもよい。
前記足受け部は、前記持ち手部の屈曲部に設けられていてもよい。
前記持ち手部は、前記利用者が把持する把持部を有し、前記足受け部は、前記把持部の両側に設けられていてもよい。
前記足部は、前記足受け部の少なくとも一部に倣う形状を有し、載置場所に前記本体部を支持する支持部と、前記支持部から前記底部の面内方向に広がって形成され、前記足受け部と当接する当接部とを有していてもよい。
前記支持部の一部は、前記屈曲部の屈曲面に倣う形状を有していてもよい。
前記当接部は、前記屈曲部に当接してもよい。
【００１０】
前記本体部は、前記側壁部に形成されて前記部屋部と外部空間とを連通する側壁連通口と、前記側壁連通口を閉塞可能に前記側壁部に支持される側壁扉部とを有していてもよい。
前記部屋部上に設けられ前記開口を閉塞する屋根部をさらに有し、前記屋根部は、前記側壁部の上縁部の形状に倣う枠状を有する枠状部と、前記部屋部と前記外部空間とを連通する上部連通口と、前記上部連通口と並んで配置され、小物を収納する小物収納部と、前記上部連通口及び前記小物収納部を閉塞可能に前記枠状部に支持される上側扉部とを有していてもよい。
【００１１】
前記上側扉部は、前記上部連通口を閉塞可能に前記枠状部に支持される上面扉と、前記小物収納部を閉塞可能に前記枠状部に支持される小物収納扉とを有していてもよい。
前記上面扉は、平板部と、前記平板部に対して前記本体部側に向かって傾斜する傾斜部とを有していてもよい。
前記上部連通口及び前記小物収納部を閉塞した状態の前記上側扉部の前記傾斜部上に前記持ち手部を載せた場合、前記平板部と前記足受け部とは面一に配置されていてもよい。
【考案の効果】
【００１２】
本考案によれば、容易に山積みすることができ、限られた販売領域でも十分な販促効果が得られる。
【図面の簡単な説明】
【００１３】
【図１】本考案の一実施形態によるペット用キャリーケース１の外観斜視図である。
【図２】本考案の一実施形態によるペット用キャリーケース１の分解斜視図である。
【図３】本考案の一実施形態によるペット用キャリーケースを山積みした状態を説明する図である。
【図４】本考案の一実施形態によるペット用キャリーケース１に備えられた足部９の概略構成を示す図である。
【図５】本考案の一実施形態によるペット用キャリーケース１に対して他のペット用キャリーケースに相当するペット用キャリーケース１０１の足部１０９の概略構成を示す図である。
【図６】本考案の一実施形態によるペット用キャリーケース１に備えられた足受け部３１の概略構成を示す図である。
【図７】本考案の一実施形態によるペット用キャリーケースを山積みした状態であって足部１０９と足受け部３１との近傍を示す図である。
【図８】本考案の一実施形態によるペット用キャリーケース１に設けられた上面扉２６などを開いた状態であって正面側から見た外観斜視図である。
【図９】本考案の一実施形態によるペット用キャリーケース１に設けられた上面扉２６などを開いた状態であって背面側から見た外観斜視図である。
【図１０】本考案の一実施形態によるペット用キャリーケース１であってペットを出し入れする際の状態を背面側から見た外観斜視図である。
【考案を実施するための形態】
【００１４】
本考案の一実施形態によるペット用キャリーケースについて図１から図１０を用いて説明する。まず、本実施形態によるペット用キャリーケース１の概略構成について図１及び図２を用いて説明する。図１は、本実施形態によるペット用キャリーケース１の外観斜視図である。図２は、ペット用キャリーケース１の分解斜視図である。
図１に示すように、ペット用キャリーケース１は、本体部３と、屋根部５と、持ち手部７ａ、７ｂ（以下、持ち手部７ａ、７ｂを総称して「持ち手部７」と総称する場合がある）と、後述する足部９（図１では不図示）とを有している。ペット用キャリーケース１は例えばポリプロピレンで形成されている。本体部３は、例えば上部が開口した中空直方体の箱形状を有している。本体部３の角部は曲線形状であって丸みを帯びた形状を有している。
【００１５】
図２に示すように、本体部３は、側壁部４及び底部２に囲まれた部屋部１１を備えている。部屋部１１はペットを収容するペット収容部となる。側壁部４は、正面側壁４ａ、右側壁４ｂ、左側壁４ｃ及び背面側壁４ｄを有している。正面側壁４ａには、部屋部１１と外部空間（ペット用キャリーケース１が置かれている空間）とを連通する側壁連通口１３が形成されている。側壁連通口１３は、ペットを出し入れしたりペットが自ら出入りしたりする出入り口となる。
【００１６】
本体部３は、側壁連通口１３を閉塞可能に側壁部４の正面側壁４ａに支持された側壁扉部１７を有している。側壁扉部１７は、薄板長方形状を有している。側壁扉部１７は、側壁連通口１３の開口面積よりも大きく、側壁連通口１３を含む正面側壁４ａの全体の面積よりも小さい面積を有している。これにより、側壁扉部１７が側壁連通口１３を閉塞した状態で正面側壁４ａに支持されると、側壁扉部１７は、側壁連通口１３を完全に塞ぐとともに、正面側壁４ａからはみ出さずに側壁部４に支持される（図１参照）。側壁扉部１７には、複数の空気穴１７ｃが形成されている。空気穴１７ｃによって部屋部１１と外部空間との間で空気が流通可能になるとともに、ペット用キャリーケース１の利用者は部屋部１１内に収容されたペットを覗き見ることができる。ここで、利用者には、例えばペットの飼主やペット用キャリーケースを用いてペットを運搬する運搬者が含まれる。
【００１７】
側壁扉部１７は、右側端部に所定の間隙を設けて形成された回転軸部１７ｂを２つ有している。側壁連通口１３の右端部近傍の正面側壁４ａには、２つの回転軸部１７ｂがそれぞれ挿入される２つの回転軸挿入部３ｂが形成されている。２つの回転軸挿入部３ｂは、２つの回転軸部１７ｂの間隙とほぼ同じ長さの間隙を設けて配置されている。回転軸挿入部３ｂは、回転軸部１７ｂを挿入可能な大きさの中空部（不図示）を有している。回転軸部１７ｂを回転軸挿入部３ｂの上方から挿入することにより、側壁扉部１７は、回動自在かつ着脱可能に本体部３に半固定される。側壁扉部１７は着脱可能のため、ペット用キャリーケース１は、側壁扉部１７を外した状態で、ペットのハウスとして使用することもできる。
【００１８】
また、側壁扉部１７は、中央左寄りに形成され、側壁扉開閉ツマミ１８を挿入する開口部１７ａを有している。側壁扉開閉ツマミ１８は、回動自在に開口部１７ａに挿入されるようになっている（図１参照）。側壁扉開閉ツマミ１８は、不図示の係止部を有している。側壁連通口１３の左側中央近傍の正面側壁４ａの部屋部１１側には、当該係止部を受ける係止受け部３ａが形成されている。側壁扉部１７が側壁連通口１３を塞いだ状態で側壁扉開閉ツマミ１８を所定の方向に回転させると、当該係止部が係止受け部３ａで係止され
る。これにより、側壁扉部１７は、本体部３に固定され、部屋部１１内のペットが側壁扉部１７に衝突しても開かないようになる。また、側壁扉開閉ツマミ１８を当該所定の方向とは逆方向に回転させると、当該係止部が係止受け部３ａに係止された状態が解除され、側壁扉部１７は開閉可能な状態になる。このように、側壁扉開閉ツマミ１８と係止受け部３ａとは、側壁扉部１７のロック機構を構成している。
【００１９】
側壁部４の右側壁４ｂ及び左側壁４ｃは、複数の長方形状部材３ｃを編んだメッシュ形状を有している。複数の長方形状部材３ｃの交差位置近傍には、通気口３ｄが設けられている。空気穴１７ｃとともに通気口３ｄによって部屋部１１と外部空間との間で空気が流通可能になるとともに、利用者は部屋部１１内に収容されたペットを覗き見ることができる。一方、背面側壁４ｄは、メッシュ形状ではなく薄板長方形状を有している。ペット用キャリーケース１は、背面側壁４ｄを薄板長方形状に形成することにより、右側壁４ｂ、左側壁４ｃ及び背面側壁４ｄの全てをメッシュ状に形成するよりも側壁部４の強度の向上を図っている。
【００２０】
側壁部４は、上部周囲に形成された上縁部１５を有している。上縁部１５は、底部２の法線方向に見て（すなわち平面視で）、角部が曲線状の長方形枠形状を有している。上縁部１５の長辺側のほぼ中央にはそれぞれ、上方に張り出す薄板状の張出部１５ａが形成されている。張出部１５ａには、２つの持ち手受け部１５ｂが形成されている。持ち手受け部１５ｂは、中空円筒形状を有している。持ち手受け部１５ｂの内部は張出部１５ａを貫通する貫通穴になっている。持ち手受け部１５ｂと持ち手部７との関係については後述する。
【００２１】
上縁部１５は、張出部１５ａを挟んで長辺側に形成され、ショルダーベルト（不図示）を取り付けるベルト取付け部１５ｃを有している。ベルト取付け部１５ｃは、底部２の法線方向に見て、上縁部１５の長辺の伸びる方向に対して直交する方向に張り出したコの字形状を有している。ベルト取付け部１５ｃは、上縁部１５の長辺の中心に対して左右対称に配置されている。これにより、ペット用キャリーケース１の利用者がショルダーベルトによってペット用キャリーケース１を運搬する際に、ペット用キャリーケース１が一方の方向に偏るのを防止できる。また、ベルト取付け部１５ｃは、ペット用キャリーケース１を運搬する際にペット用キャリーケース１が偏らない程度に、上縁部１５の長辺において左右非対称に配置されていてもよい。これにより、屋根部５を本体部３に取り付ける取り付け作業において、作業者が屋根部５を前後逆向きに取り付けるのを防止でき、当該取り付け作業の作業効率の向上を図ることができる。
【００２２】
屋根部５は、部屋部１１上に設けられ部屋部１１の開口を閉塞するようになっている（図１参照）。屋根部５は、枠状部１９と、上側扉部２１と、上部連通口２３と、小物収納部２５と、ヒンジ部２７とを有している。
枠状部１９は、側壁部４の上縁部１５の形状に倣う枠状を有している。枠状部１９は、側壁部４に着脱可能に半固定されている。枠状部１９は、底部２の法線方向に見て、角部が曲線状の長方形状を有している。上縁部１５に対向する枠状部１９の対向面には、上縁部１５を差し込むための溝部（不図示）が形成されている。また、枠状部１９の長辺の中央近傍にはそれぞれ、持ち手受け部１５ｂが挿入される開口部１９ａが２つ形成されている。さらに、枠状部１９の長辺の両端部には、ベルト取付け部１５ｃを差し込むための切り欠き部１９ｂが２つの開口部１９ａを挟んで形成されている。ペット用キャリーケース１の組み立て作業を行う作業者は、開口部１９ａと持ち手受け部１５ｂとの相対位置と、切り欠き部１９ｂとベルト取付け部１５ｃとの相対位置を合わせて枠状部１９の溝部に上縁部１５を挿入する。持ち手受け部１５ｂは、枠状部１９の溝部の幅よりも長く形成されている。このため、当該組み立て作業において作業者は、開口部１９ａ近傍の溝部を広げながら開口部１９ａに持ち手受け部１５ｂを挿入する。開口部１９ａへの持ち手受け部１
５ｂの挿入が完了して作業者が枠状部１９から手を放すと、作業者によって広げられて弾性変形していた開口部１９ａ近傍の枠状部１９は元の状態に戻る。これにより、枠状部１９は、開口部１９ａから持ち手受け部１５ｂが突出した状態で本体部３に保持される。
【００２３】
枠状部１９の内側領域には、上部連通口２３と小物収納部２５とを仕切る仕切り部２９が設けられている。仕切り部２９は枠状部１９の対向する長辺間に亘って設けられている。仕切り部２９は当該長辺間において背面寄りに設けられている。仕切り部２９は、仕切り部２９の伸びる方向に見て、背面寄りの開口部１９ａと背面側の切欠き部１９ｂとの間に設けられている。
上部連通口２３は、部屋部１１と外部空間とを連通するようになっている。上部連通口２３は、仕切り部２９で仕切られた枠状部１９の内側領域のうちの正面側壁４ａ側の領域に設けられている。上部連通口２３は、ペットを出し入れする出し入れ口となる。上部連通口２３は、正面側壁４ａ側に設けられているので、利用者は、例えば側壁連通口１３から部屋部１１に入りたがらないペットを後方から掴んでそのまま上部連通口２３から部屋部１１に入れることができる。さらに、利用者がペットを上部連通口２３から部屋部１１に入れる際に、後述する上側扉部２１が利用者の手から逃れようとするペットに対する障壁として機能し、ペットを容易に部屋部１１に入れることができる。
【００２４】
小物収納部２５は、枠状部１９の内側領域において上部連通口２３と並んで配置され、例えばペットの餌や玩具などの小物を収納できるように構成されている。小物収納部２５は、仕切り部２９で仕切られた枠状部１９の内側領域のうちの背面側壁４ｄ側の領域に設けられている。小物収納部２５は部屋部１１に通じていない。
【００２５】
ヒンジ部２７は、仕切り部２９上に設けられ、後述する上側扉部２１を枠状部１９に回動自在に支持するようになっている。ヒンジ部２７は、仕切り部２９に設けられ、直線形状の軸部材（不図示）を貫通する複数（図２では５つ）の貫通突起部２７ａと、隣り合う貫通突起部２７ａの間に設けられた複数（図２では４つ）の間隙部２７ｂとを有している。また、ヒンジ部２７は、上側扉部２１に備えられた上面扉２６（詳細は後述）に設けられ、当該軸部材が貫通する複数（図２では４つ）の貫通突起部２７ｃを有している。また、ヒンジ部２７は、上側扉部２１に備えられた小物収納扉２８（詳細は後述）に設けられ、当該軸部材が貫通する複数（図２では４つ）の貫通突起部２７ｄを有している。さらに、ヒンジ部２７は、隣り合う貫通突起部２７ｃと貫通突起部２７ｄとの間に設けられた複数（図２では３つ）の間隙部２７ｅを有している。
【００２６】
間隙部２７ｅの長さは貫通突起部２７ａの幅より長く形成されている。また、間隙部２７ｂの長さは、貫通突起部２７ｃの幅と貫通突起部２７ｄの幅とを合わせた長さより長く形成されている。このため、間隙部２７ｅは貫通突起部２７ａを配置でき、間隙部２７ｂは貫通突起部２７ｃ及び貫通突起部２７ｄを配置できる。一直線上に配置された貫通突起部２７ａ、貫通突起部２７ｃ及び貫通突起部２７ｄに軸部材を通すことにより、ヒンジ部２７は、仕切り部２９上で上側扉部２１を枠状部１９に回動自在に支持できる。上面扉２６と小物収納扉２８とが１つのヒンジ部２７によって枠状部１９に支持されることにより、上面扉２６と小物収納扉２８とが異なるヒンジ部によって枠状部１９に支持されるよりも、上部連通口２３及び小物収納部２５のそれぞれの面積が広くなる。これにより、ペット用キャリーケース１は、ペットを収納しやすくなるとともに、収容可能な小物の数や種類の制限が緩和される。
【００２７】
上側扉部２１は、上部連通口２３及び小物収納部２５を閉塞可能に枠状部１９に支持されている。上側扉部２１は、上部連通口２３を閉塞可能にヒンジ部２７で支持された上面扉２６と、小物収納部２５を閉塞可能にヒンジ部２７で支持された小物収納扉２８とを有している。上面扉２６は、ヒンジ部２７側に設けられた平板部２６ｂと、平板部２６ｂに
対して本体部３側に向かって傾斜する傾斜部２６ａとを有している。傾斜部２６ａと平板部２６ｂとは一体的に形成され、平板部２６ｂに対する傾斜部２６ａの傾斜角度は固定されている。当該傾斜角度は枠状部１９の長辺側側壁の上部の傾斜に倣う角度になっている。また、上側扉部２１は、上部連通口２３の開口面積よりも広い面積を有している。このため、上側扉部２１は、上面扉２６と枠状部１９との間に隙間をほとんど作らずに上部連通口２３を閉塞できる。
【００２８】
上面扉２６は、先端部に設けられたロック機構２４を有している。ロック機構２４は上面扉２６を枠状部１９に固定するために設けられている。ロック機構２４は、対向配置されたツマミ部２４ａ、２４ｂを有している。ツマミ部２４ａ、２４ｂは、ばね部材（不図示）により互いに逆方向に向かう力を与えられた状態で上面扉２６に支持されている。ツマミ部２４ａ、２４ｂが当該状態であって上面扉２６が枠状部１９上に載置されていると、支持突起（不図示）が枠状部１９に形成された凹部１９ｃに嵌合される。これにより、上面扉２６は枠状部１９に固定され、部屋部１１に居るペットが上面扉２６に衝突しても上面扉２６は閉塞状態を維持する。ばね部材の力に抗してツマミ部２４ａ、２４ｂを近づけることで、支持突起と凹部１９ｃとの嵌合が解除される。これにより、上面扉２６が上部連通口２３を閉塞している状態が解除され、利用者は上面扉２６を開くことができる。上面扉２６を開くことにより、部屋部１１は、上部連通口２３を介して外部空間に開放される。
また、上面扉２６には、長方形状に開口した複数の空気穴２２が形成されている。空気穴２２によって部屋部１１と外部空間との間で空気が流通可能になるとともに、利用者は部屋部１１内に収容されたペットを覗き見ることができる。
【００２９】
枠状部１９は、小物収納部２５が配置されている側において、ヒンジ部２７から先端部に向けて本体部３側に傾斜している。このため、小物収納扉２８は、枠状部１９上に配置されると本体側に向かって傾斜する。上側扉部２１で上部連通口２３及び小物収納部２５を閉塞した場合、小物収納扉２８の傾斜角度と、傾斜部２６ａの傾斜角度はほぼ同じになる。
小物収納扉２８は、先端部に設けられたロック機構２０を有している。ロック機構２０はツマミ部２０ａを左右にスライドさせて小物収納扉２８を枠状部１９上に固定するスライド式の構成を有している。ツマミ部２０ａを一方にスライドさせると、爪部（不図示）が枠状部１９に設けられた嵌合部１９ｄに嵌合される。これにより、小物収納扉２８は小物収納部２５を閉塞した状態で枠状部１９に固定される。したがって、ペット用キャリーケース１は、ペットの運搬中に小物収納部２５に収納した小物が外部に飛び出すのを防止できる。また、ツマミ部２０ａを他方にスライドさせると、爪部が嵌合部１９ｄに嵌合された状態が解除される。これにより、利用者は、小物収納部２５を開いて小物収納部２５から小物を取り出したり小物収納部２５に小物を収納したりできる。
【００３０】
持ち手部７は、足受け部３１（詳細は後述する）を備え、利用者の手で本体部３を吊持するために用いられる。持ち手部７は、細長形状の部材を屈曲させた形状を有している。持ち手部７はコの字形状を有している。持ち手部７は、ほぼ中央に備えられ、利用者が把持する把持部３３を有している。把持部３３は、利用者が持ち手部７ａ及び持ち手部７ｂを同時に持つ際に２つの把持部３３を握ることができる太さに形成されている。
【００３１】
持ち手部７の両端部には、楔形状の爪部６が形成されている。爪部６の先端部には切り欠きが設けられている。爪部６は、中心軸方向に力を受けると、先端部の切欠きによって直径が短くなる。このため、屋根部５が取り付けられた本体部３に持ち手部７を取り付ける際に、爪部６の先端部を本体部３の持ち手受け部１５ｂの開口に押し当てると、爪部６は持ち手受け部１５ｂの内壁から中心軸方向に力を受ける。これにより、爪部６の先端部の直径が短くなった状態で持ち手受け部１５ｂに押し込まれる。爪部６の先端部の直径は
、中心軸方向に力を受けていない通常状態では、持ち手受け部１５ｂの内径より長い。また、爪部６は、楔形状の先端部分だけ持ち手受け部１５ｂよりも長く形成されている。このため、爪部６を持ち手受け部１５ｂに完全に押し込むと、爪部６の先端部は、上縁部１５の内壁側に飛び出して中心軸方向に力を受けなくなる。これにより、中心軸方向の力によって弾性変形していた爪部６の先端部は元の通常状態に戻る。爪部６の先端部は、楔形状を有しているので、先端部が上縁部１５の内壁に引っ掛かり、持ち手部７は本体部３から外れなくなる。また、先端部を除く爪部６の直径は、持ち手受け部１５ｂの内径よりも短くなっている。このため、持ち手部７は、本体部３に回動自在に取り付けられる。
【００３２】
このように、本実施形態によるペット用キャリーケース１では、最も荷重のかかる持ち手部７は屋根部５ではなく本体部３で支持されている。このため、持ち手部７を持ってペット用キャリーケース１を運搬している際に、本体部３の荷重が持ち手部７以外の部材に掛かるのを防止できる。
【００３３】
次に、本実施形態によるペット用キャリーケース１に備えられた足部９及び足受け部３１の構成について図３から図７を用いて説明する。
図３は、本実施形態によるペット用キャリーケースを山積みした状態を説明する図である。なお、図３では、２つのペット用キャリーケース１、１０１が図示されている。図３（ａ）は、ペット用キャリーケース１、１０１の正面図であり、図３（ｂ）は、ペット用キャリーケース１、１０１の右側面図であり、図３（ｃ）は、ペット用キャリーケース１の底面図である。図３に示すように、本実施形態によるペット用キャリーケース１に対して他のペット用キャリーケースに相当するペット用キャリーケース１０１は、ペット用キャリーケース１と同一形状を有している。すなわち、ペット用キャリーケース１０１も本実施形態によるペット用キャリーケースに相当する。
【００３４】
図３（ａ）から図３（ｃ）に示すように、ペット用キャリーケース１は、本体部３の底部２から外側に向けて突出する４つの足部９を有している。足部９は、底部２の角部近傍に配置されている。ここで、足部９の具体的な構成について図４から図６を用いて説明する。図４は、足部９の概略構成を示す図である。図４（ａ）は、図３（ｂ）の仮想円Ｃで囲んだ領域の拡大図であり、図４（ｂ）は、図３（ｃ）の仮想円Ｄで囲んだ領域の拡大図である。
図４（ａ）及び図４（ｂ）に示すように、足部９は、載置場所に本体部３を支持する支持部９ａと、支持部９ａから底部２の面内方向に広がって形成され、足受け部３１と当接する当接部９ｂとを有している。図４（ａ）に示すように、支持部９ａは、底部２の面内方向に対してほぼ直交する方向に伸びる凸形状を有している。支持部９ａは例えば高さが１０ｍｍに形成されている。支持部９ａは当接部９ｂよりも高く形成されている。このため、ペット用キャリーケース１が地面などの載置場所に載置されると、ペット用キャリーケース１は、足部９のうちの支持部９ａによって載置場所に支持される。図４（ｂ）に示すように、支持部９ａは、底部２の法線方向に見て、底部２の短辺の伸びる方向に伸びる横長円形状を有している。
【００３５】
図４（ａ）に示すように、当接部９ｂは、底部２の面内方向に対してほぼ直交する方向に伸びる凸形状を有している。当接部９ｂは、底部２の法線方向に見て、底部２の長辺の伸びる方向に伸びて形成されている。当接部９ｂは、支持部９ａから背面側壁４ｄ（図３（ｃ）参照）に向かって所定の長さ分だけ底部２とほぼ平行な平行領域αを有している。当接部９ｂは、背面側壁４ｄ側の平行領域αの端部から底部２に向かって徐々に傾斜する傾斜領域βを有している。足部９は、当接部９ｂの平行領域αにおいて、ペット用キャリーケース１の直下に配置されたペット用キャリーケースの足受け部と当接するようになっている。
図４（ｂ）に示すように、当接部９ｂは、底部２の長辺側の支持部９ａの端部から当該
長辺に沿って伸びて形成されている。当接部９ｂは、底部２の平坦領域の最端部に形成されている。当接部９ｂが底部２に接触する幅は、平行領域αではほぼ一定であり、傾斜領域βでは平行領域αから遠ざかるに従って短くなっている。ペット用キャリーケース１は、平行領域αにおける当該幅を広くすることにより、当接部９ｂと足受け部とが当接することによって生じる荷重を１箇所に集中させずに分散できるようになっている。
【００３６】
図５は、図３（ａ）に示す仮想円Ａで囲まれた領域の部分拡大図を示している。図５では理解を容易にするため、本来積み重ねられているペット用キャリーケース１及びペット用キャリーケース１０１が離れて図示されている。
図５に示すように、ペット用キャリーケース１の直上に積み重ねられたペット用キャリーケース１０１の足部（他の足部の一例）１０９は、足部９と同一形状を有している。また、足部１０９は、ペット用キャリーケース１０１に備えられた本体部１０３の底部１０２の角部にそれぞれ形成されている。底部１０２に対する４つの足部１０９の相対的な形成位置は、底部２に対する４つの足部９の相対的な形成位置と一致している。このため、積み重ねられたペット用キャリーケース１の足部９と、ペット用キャリーケース１０１の足部１０９とは、ほぼ一直線上に配置される（図３（ａ）及び図３（ｂ）参照）。
【００３７】
次に、持ち手部７に設けられた足受け部の概略構成について、図３を参照しつつ図６を用いて説明する。なお、持ち手部７ａ及び持ち手部７ｂは同一の形状を有している。また、持ち手部７に設けられた２つの足受け部３１は、把持部３３に対して左右対称である点を除いて同じ形状を有している。このため、持ち手部７ａの右側に設けられた足受け部３１を例にとって、持ち手部７の足受け部３１近傍の構造について説明する。図６は、図３（ａ）に示す仮想円Ａで囲まれた領域の部分拡大図を示している。図６では理解を容易にするため、本来積み重ねられているペット用キャリーケース１及びペット用キャリーケース１０１が離れて図示されている。
図３（ａ）に示すように、持ち手部７ａは、把持部３３を外側に張り出して形成されている。このため、持ち手部７ａは、把持部３３の両端部に形成された屈曲部を有している。本実施形態によるペット用キャリーケース１では、当該屈曲部に足受け部３１が設けられている。当該屈曲部における持ち手部７ａの屈曲面と、当該屈曲面の前方であって支持部１０９が突出する領域とで足受け部３１が構成される。足受け部３１は、本体部３の上に積み重ねられる本体部（他の本体部の一例）１０３に設けられて足部９と同形状の足部１０９を受けるようになっている。また、足受け部３１は、底部２の面内方向におけるペット用キャリーケース１０１の本体部１０３の移動を規制するようになっている。
【００３８】
支持部１０９ａは、足受け部３１の少なくとも一部に倣う形状を有している。本実施形態では、足部１０９を足受け部３１に載置した際に、持ち手部７ａと対面する支持部１０９ａの側面は、足受け部３１が設けられた屈曲部の屈曲面に倣う形状を有している。足部９は足部１０９と同一の形状を有している。このため、足部１０９を足受け部３１に載置した際に持ち手部７ａと対面する支持部１０９ａの側面に対応する支持部９ａの側面は、足受け部３１に設けられた屈曲部の屈曲面に倣う形状を有している。
【００３９】
足受け部３１は、底部２の法線方向に見て、持ち手部７ａと底部２とが重なる場所に設けられている。持ち手部７ａは底部２の上方に設けられているので、足受け部３１も同様に、底部２の上方に設けられる。積み重ねられたペット用キャリーケース１の足部９と、ペット用キャリーケース１０１の足部１０９とは、ほぼ一直線上に配置される。このため、ペット用キャリーケース１０１をペット用キャリーケース１上に配置した場合、足受け部３１は、ペット用キャリーケース１０１の底部１０２の法線方向に見て、持ち手部７ａと底部１０２とが重なる場所に配置される。
【００４０】
次に、山積みされたペット用キャリーケースの状態について図３を参照しつつ、図７を
用いて説明する。図３に示すペット用キャリーケース１及びペット用キャリーケース１０１を例にとって山積みされたペット用キャリーケースを説明する。図７は、足部１０９と足受け部３１との近傍を示す正面図及び右側面図である。図７（ａ）は、図３（ａ）に示す仮想円Ａで囲む領域の拡大図であり、図７（ｂ）は、図３（ｂ）に示す仮想円Ｂで囲む領域の拡大図である。
【００４１】
図３（ｂ）に示すように、上部連通口２３（図２参照）及び小物収納部２５（図２参照）を閉塞した状態の上側扉部２１の傾斜部２６ａ上に持ち手部７ａを載せ、小物収納扉２８上に持ち手部７ｂを載せた場合、平板部２６ｂと足受け部３１とは面一に配置される。ペット用キャリーケース１０１の底部１０２は平板状を有している。このため、ペット用キャリーケース１０１をペット用キャリーケース１の上に積み上げると、ペット用キャリーケース１０１は、ペット用キャリーケース１の平板部２６ｂと、持ち手部７ａの足受け部３１と、持ち手部７ｂの足受け部３１とによって上側扉部２１上に支持される。
【００４２】
図７（ａ）に示すように、ペット用キャリーケース１０１に備えられた足部１０９の支持部１０９ａは、ペット用キャリーケース１に備えられた持ち手部７ａの足受け部３１に突出する。また、図７（ｂ）に示すように、足部１０９の当接部１０９ｂは、足受け部３１に当接する。持ち手部７ａは、当接部１０９ｂにより下方に押し下げられる。しかしながら、持ち手部７ａは、傾斜部２６ａの左右端部と接触しているため、当該左右端部から上方に向かう力を受ける。これにより、支持部１０９ａと足受け部３１とは互いに係合し合う力が強くなるので、ペット用キャリーケース１０９はペット用キャリーケース１上に安定して載置される。また、当接部１０９ｂは、底部１０２の長辺側の支持部１０９ａの端部から当該長辺に沿って伸びて形成されている。このため、当接部１０９ｂから持ち手部７ａに対して作用する下向きの力の作用点と、傾斜部２６ａの端部から持ち手部７ａに対して作用する上向きの力の作用点との距離は、当接部１０９ｂが底部１０２の中央側の支持部１０９ａの端部から伸びて形成されている場合と比較して短くなる。このため、足部１０９及び傾斜部２６ａからの力の作用に基づいて持ち手部７ａに生じる力のモーメントは小さくなるので、ペット用キャリーケースを山積みすることによって持ち手部が変形するのを防止できる。このように、当接部１０９ｂは、ペット用キャリーケースを山積みした際の持ち手部７の変形を防止するようになっている。
【００４３】
図３（ａ）及び図７に示すように、正面側壁１０４ａ側に配置された２つの支持部１０９ａは、持ち手部７ａの把持部３３を挟み込んで足受け部３１に突出している。同様に、図３（ｂ）に示すように、背面側壁１０４ｄ側に配置された２つの支持部１０９ａ（図３（ｂ）では１つの支持部１０９ａのみが図示されている）は、持ち手部７ｂの把持部３３（不図示）を挟み込んで足受け部３１に突出している。このため、ペット用キャリーケース１０１が右側壁１０４ｂ側にずれたとしても、左側壁１０４ｃ側に形成された支持部１０９ａが左側壁１０４ｃ側の足受け部３１に引っ掛かる。これにより、ペット用キャリーケース１０１がペット用キャリーケース１の右側壁４ｂ側から落下するのが防止される。また、ペット用キャリーケース１０１が左側壁１０４ｃ側にずれたとしても、右側壁１０４ｂ側に形成された支持部１０９ａが右側壁１０４ｂ側の足受け部３１に引っ掛かる。これにより、ペット用キャリーケース１０１がペット用キャリーケース１の左側壁４ｃ側から落下するのが防止される。
【００４４】
また、ペット用キャリーケース１０１が正面側壁１０４ａ側にずれたとしても、背面側壁１０４ｄ側に形成された支持部１０９ａが持ち手部７ｂの足受け部３１に引っ掛かる。これにより、ペット用キャリーケース１０１がペット用キャリーケース１の正面側壁４ａ側から落下するのが防止される。さらに、ペット用キャリーケース１０１が背面側壁１０４ｄ側にずれたとしても、正面側壁１０４ａ側に形成された支持部１０９ａが持ち手部７ａの足受け部３１に引っ掛かる。これにより、ペット用キャリーケース１０１がペット用
キャリーケース１の背面側壁４ｄ側から落下するのが防止される。
【００４５】
このように、足受け部３１は、足部１０９の水平方向の移動を規制できる。このため、本実施形態によるペット用キャリーケース同士を直接山積みしても、ペット用キャリーケースが直下のペット用キャリーケースの前後左右のいずれからも落下するのが防止される。これにより、本実施形態によれば、スペーサを挟まなくてもペット用キャリーケースを山積みできるので、ペット用キャリーケースを容易に山積みすることができ、限られた販売領域でも十分な販促効果が得られる。
【００４６】
次に、本実施形態によるペット用キャリーケース１の上面扉２６等の開閉動作について図８から図１０を用いて説明する。図８は、上面扉２６などを開いた状態であって正面側から見た外観斜視図である。図９は、図８の状態を背面側から見た外観斜視図である。
図８及び図９に示すように、側壁扉部１７は、回転軸部１７ｂを回転軸として、図中の双方向矢印Ｙ１で示すように、回動自在に開閉できる。図８に示すように、側壁扉部１７を開くと、側壁連通口１３を介して外部空間と部屋部１１とが連通される。
【００４７】
図８及び図９に示すように、上面扉２６は、ロック機構２４を解除することにより、ヒンジ部２７を回転軸として、図中の双方向矢印Ｙ２で示すように、回動自在に開閉できる。図８に示すように、上面扉２６が開くと、上部連通口２３を介して外部空間と部屋部１１とが連通される。上面扉２６は、ヒンジ部２７を越えて小物収納扉２８上まで倒すことができる。上面扉２６の先端部を小物収納扉２８上まで倒すと、上面扉２６は、小物収納扉２８側に倒れようとする自重により、小物収納部２５を閉塞した状態の小物収納扉２８と所定の角度を維持して保持される。これにより、利用者は、両手でペットを持ち上げて上部連通口２３から部屋部１１にペットを入れることができる。
【００４８】
図８に示すように、小物収納扉２８は、ロック機構２０を解除することにより、ヒンジ部２７を回転軸として、図中の双方向矢印Ｙ３で示すように、回動自在に開閉できる。小物収納扉２８は、ヒンジ部２７を越えて上面扉２６上まで倒すことができる。小物収納扉２８の先端部を上面扉２６上まで倒すと、小物収納扉２８は、上面扉２６側に倒れようとする自重により、上部連通口２３を閉塞した状態の上面扉２６と所定の角度を維持して保持される。図９に示すように、小物収納扉２８が開くと、小物収納部２５は外部空間に解放され、利用者は小物収納部２５から小物を取り出したり小物収納部２５に小物を収納したりできるようになる。
【００４９】
図８及び図９に示すように、持ち手部７ａは、図中に双方向矢印Ｙ４で示すように、爪部６（図２参照）を回転軸として、上面扉２６側から小物収納扉２８側まで回動自在に移動することができる。持ち手部７ａは、上面扉２６を開くときには小物収納扉２８上に載置し、小物収納扉２８を開くときには上面扉２６上に載置することにより、上面扉２６や小物収納扉２８の開閉を妨げないようになっている。
【００５０】
持ち手部７ｂは、持ち手部７ａと同様に爪部６（図２参照）を回転軸として、図８及び図９の図中に双方向矢印Ｙ５で示すように、上面扉２６側から小物収納扉２８側まで回動自在に移動することができる。持ち手部７ｂは、上面扉２６を開くときには小物収納扉２８上に載置し、小物収納扉２８を開くときには上面扉２６上に載置することにより、上面扉２６や小物収納扉２８の開閉を妨げないようになっている。
【００５１】
図１０は、ペットを出し入れする際のペット用キャリーケース１を背面側から見た外観斜視図である。図１０に示すように、ペット用キャリーケース１は、ペットを出し入れするために上面扉２６を開きかつ小物収納扉２８を閉じた状態にすると、持ち手部７ａ、７ｂが小物収納扉２８上に倒される。ペット用キャリーケース１がこの状態にあるときに、
利用者が小物収納扉２８を開くと、持ち手部７ｂは、上方に持ち上げられた小物収納扉２８によって押し上げられて爪部６（図１０では不図示）を回転軸として回転しながら持ち上がる。小物収納扉２８及び持ち手部７ｂが所定位置まで持ち上がると、持ち手部７ａは小物収納扉２８及び持ち手部７ｂにより押し上げられて、爪部６（図１０では不図示）を回転軸として回転しながら持ち上がる。持ち手部７ａが所定位置まで持ち上がると、上面扉２６は、持ち手部７ａに押されて上部連通口２３上に倒れて上部連通口２３を閉塞する。
【００５２】
このように、上面扉２６を開けた状態で小物収納扉２８を開けようとすると、「小物収納扉２８→持ち手部７ｂ→持ち手部７ａ→上面扉２６」の順に力が伝わり、小物収納扉２８を完全に開く前に所定位置まで開いた段階で、上面扉２６は上部連通口２３を閉塞することができる。これにより、ペットが部屋部１１に居るにもかかわらず上面扉２６を開いた状態で、小物収納扉２８を開けようとした場合、小物収納扉２８を所定位置まで開くことにより上面扉２６が上部連通口２３を閉塞することができる。これにより、ペットが部屋部１１から飛び出すのを防止できる。
【００５３】
本考案は、上記実施形態に限らず、種々の変形が可能である。
上記実施形態によるペット用キャリーケースは、上部扉部の上面扉が上部連通口及び小物収納部を閉塞している状態では、平板部と足受け部とが面一に配置され、直上に積み上げられたペット用キャリーケースを平板部及び足受け部で支持するようになっているが、本考案はこれに限られない。例えば、ペット用キャリーケースの上側扉部２１の上面が平坦な形状を有していても、ペット用キャリーケースは、平坦な当該上面に載置された足受け部のみ直上に積み上げられたペット用キャリーケースの足部を受けて、直上の当該ペット用キャリーケースを安定して保持できる。これにより、当該ペット用キャリーケースは、上記実施形態によるペット用キャリーケース１と同様の効果が得られる。
【００５４】
また、上記実施形態によるペット用キャリーケースでは、持ち手部の屈曲部に足受け部を有しているが、本考案は、これに限られない。例えば、持ち手部の一部に足部を勘合できる領域を有していてもよい。持ち手部と足部とが勘合して積み上げられたペット用キャリーケースの水平方向の移動が規制される。これにより、ペット用キャリーケースは、直上に積み上げられたペット用キャリーケースを落下させずに安定して保持できる。
【符号の説明】
【００５５】
１、１０１  ペット用キャリーケース
２、１０２  底部
３、１０３  本体部
３ａ  係止受け部
３ｂ  回転軸挿入部
３ｃ  長方形状部材
３ｄ  通気口
４  側壁部
４ａ、１０４ａ  正面側壁
４ｂ、１０４ｂ  右側壁
４ｃ、１０４ｃ  左側壁
４ｄ、１０４ｄ  背面側壁
５  屋根部
６  爪部
７、７ａ、７ｂ  持ち手部
９、１０９  足部
９ａ、１０９ａ  支持部
９ｂ、１０９ｂ  当接部
１１  部屋部
１３  側壁連通口
１５  上縁部
１５ａ  張出部
１５ｂ  持ち手受け部
１５ｃ  ベルト取付け部
１７  側壁扉部
１７ａ、１９ａ  開口部
１７ｂ  回転軸部
１７ｃ、２２  空気穴
１８  側壁扉開閉ツマミ
１９  枠状部
１９ｂ  切り欠き部
１９ｃ  凹部
１９ｄ  嵌合部
２０、２４  ロック機構
２０ａ、２４ａ  ツマミ部
２１  上側扉部
２３  上部連通口
２５  小物収納部
２６  上面扉
２６ａ  傾斜部
２６ｂ  平板部
２７  ヒンジ部
２７ａ、２７ｃ、２７ｄ  貫通突起部
２７ｂ、２７ｅ  間隙部
２８  小物収納扉
２９  仕切り部
３１  足受け部
３３  把持部
【図１】
0003209424.tif 000003
【図２】
0003209424.tif 000004
【図３】
0003209424.tif 000005
【図４】
0003209424.tif 000006
【図５】
0003209424.tif 000007
【図６】
0003209424.tif 000008
【図７】
0003209424.tif 000009
【図８】
0003209424.tif 000010
【図９】
0003209424.tif 000011
【図１０】
0003209424.tif 000012